(57)【特許請求の範囲】
【請求項１】
メッセンジャーワイヤ等に吊下げられる吊下げ部と、該吊下げ部の下方においてケーブルを保持する保持部とを備え、該保持部を、一対の挟持片で以て構成し、該挟持片に形成した円弧部の間にケーブルを挟み、挟持片を１本のボルトにより締め付けることにより前記ケーブルを保持するようにしたケーブルハンガにおいて、前記挟持片の一方に、円弧部の円弧方向の長孔からなるボルト挿通孔を形成し、該挟持片にボルト又はナットを嵌合することにより固定するとともに、該挟持片のボルト受け座を、前記長孔方向に湾曲する凸状の曲面に形成し、前記挟持片に、前記ボルトを挟んで、２個の円弧部を形成したことを特徴とするケーブルハンガ。
【請求項２】
前記吊下げ部が、メッセンジャーワイヤ上を転動するローラと、該ローラを支持するハウジングとを備え、該ハウジングのローラの下方に、メッセンジャーワイヤに取り付けるための開口部を形成するとともに、該開口部に、開口部を閉鎖する方向に付勢された蓋体を配設したことを特徴とする請求項１記載のケーブルハンガ。
【発明の詳細な説明】
【０００１】
【発明の属する技術分野】
本発明は、ケーブルハンガに関し、特に、異径のケーブルの保持をブッシュを用いることなく安定して行うことができるケーブルハンガに関するものである。
【０００２】
【従来の技術】
ケーブルハンガは、例えば、各種機械の組み立てにおいて、種々の電動工具を移動しながら使用できるように、電源ケーブルをメッセンジャーワイヤに沿って移動可能に吊下げられている。
このようなケーブルハンガとしては、メッセンジャーワイヤ上を転動するローラを備え、メッセンジャーワイヤに吊下げられる吊下げ部と、該吊下げ部の下に設けられ、ケーブルを保持する保持部とを備えたものが一般によく知られている。
【０００３】
【発明が解決しようとする課題】
ところで、従来のケーブルハンガの保持部は、一対の挟持片の円弧部の間にケーブルを挟み、挟持片を１本のボルトにより締め付ける構造が採用されているが、挟持片の円弧の大きさが予め決められていることから、例えば、細い径のケーブルを保持する場合は、ブッシュを介してケーブルを挟持する必要があり、部品点数の増加によりコスト高になるとともに、ケーブルを挟持する作業に手数を要し、さらに、ケーブルハンガが移動するとき等の振動によって挟持片を締め付けているボルトが弛みやすいという問題を有している。
【０００４】
本発明は、上記従来のケーブルハンガが有する問題点に鑑み、異径のケーブルの保持をブッシュを用いることなく安定して行うことができるケーブルハンガを提供することを目的とする。
【０００５】
【課題を解決するための手段】
上記目的を達成するため、本発明のケーブルハンガは、メッセンジャーワイヤ等に吊下げられる吊下げ部と、該吊下げ部の下方においてケーブルを保持する保持部とを備え、該保持部を、一対の挟持片で以て構成し、該挟持片に形成した円弧部の間にケーブルを挟み、挟持片を１本のボルトにより締め付けることにより前記ケーブルを保持するようにしたケーブルハンガにおいて、前記挟持片の一方に、円弧部の円弧方向の長孔からなるボルト挿通孔を形成し、該挟持片にボルト又はナットを嵌合することにより固定するとともに、該挟持片のボルト受け座を、前記長孔方向に湾曲する凸状の曲面に形成し、前記挟持片に、前記ボルトを挟んで、２個の円弧部を形成したことを特徴とする。
【０００６】
このケーブルハンガは、一対の挟持片の一方に、円弧部の円弧方向の長孔からなるボルト挿通孔を形成し、該挟持片にボルト又はナットを嵌合することにより固定するとともに、この挟持片のボルト受け座を、前記長孔方向に湾曲する凸状の曲面に形成するようにしているので、保持するケーブルの径に応じて挟持片同士がなす角度が変更されても、曲面に形成されたボルト受け座がこの変更した角度に対応してボルト又はナットの座面を安定して支持することができ、これにより、径の異なるケーブルの保持をブッシュを用いることなく安定して行うことができる。
そして、前記挟持片に、前記ボルトを挟んで、２個の円弧部を形成することにより、２本の同径又は異径のケーブルを同時に保持したり、あるいは１本の種々の径のケーブルを保持することができる。
【０００７】
また、前記吊下げ部が、メッセンジャーワイヤ上を転動するローラと、該ローラを支持するハウジングとを備え、該ハウジングのローラの下方に、メッセンジャーワイヤに取り付けるための開口部を形成するとともに、該開口部に、開口部を閉鎖する方向に付勢された蓋体を配設することができる。
【０００８】
これにより、ケーブルハンガを、工具を用いることなく、簡単に、メッセンジャーワイヤに取り付けることができる。
【０００９】
【発明の実施の形態】
以下、本発明のケーブルハンガの実施の形態を図面に基づいて説明する。
【００１０】
図１〜図３に、ケーブルハンガの参考例を示す。
このケーブルハンガは、メッセンジャーワイヤＷに吊下げられる吊下げ部１と、この吊下げ部１とボルト等の軸具１ａにより揺動可能に連結されるとともに、吊下げ部１の下方においてケーブルＣを保持する保持部２とを備え、保持部２が、一対の挟持片３ａ、３ｂの円弧部４の間にケーブルＣを挟み、挟持片３ａ、３ｂをボルト５により締め付けるように構成されている。
そして、このケーブルハンガでは、一対の挟持片３ａ、３ｂのうち一方の挟持片、具体的には、ボルト５の頭部側の挟持片３ｂのボルト挿通孔６を円弧部４の円弧方向の長孔に形成するとともに、挟持片３ｂのボルト受け座７を、前記長孔方向に湾曲する凸状の曲面に形成している。
【００１１】
また、保持部２は、挟持片３ａ、３ｂの下部同士を枢着し、上部の円弧部４を開閉可能にするとともに、枢着部と円弧部４の間に配設されたボルト５及びナット８により締め付けることができるようにされている。
なお、ナット８は、本参考例では、片方の挟持片３ａに嵌合することにより固定するようにしているが、これに限定されず、また、ボルト５を逆方向から挿入するようにしてもよい。
【００１２】
一方、吊下げ部１は、メッセンジャーワイヤＷ上を転動するローラ９と、このローラ９を支持するハウジング１０とを備え、ハウジング１０のローラ９の下方に、メッセンジャーワイヤＷに取り付けるための開口部１１を形成するとともに、この開口部１１に、下部１２ａがハウジング１０に枢支され、かつコイルスプリング１３により閉止方向に付勢された蓋体１２を配設している。
これにより、工具を用いることなく簡単に、しかも、メッセンジャーワイヤＷをローラ９に案内しながら取り入れることができる。
【００１３】
本参考例のケーブルハンガでは、一対の挟持片３ａ、３ｂのうち一方の挟持片３ｂに、円弧部４の円弧方向の長孔からなるボルト挿通孔６を形成するとともに、この挟持片３ｂのボルト受け座７を、前記長孔方向に湾曲する凸状の曲面に形成するようにしているので、保持するケーブルＣの径に応じて挟持片３ａ、３ｂ同士がなす角度が変更されても、曲面に形成されたボルト受け座７がこの変更した角度に対応してボルト５の座面を安定して支持することができ、これにより、径の異なるケーブルＣの保持をブッシュを用いることなく安定して行うことができるものとなる。
【００１４】
次に、図４〜図６に、本発明のケーブルハンガの一実施例を示す。
このケーブルハンガは、吊下げ部１の構成は蓋体１２の板ばね１４を除いて上記参考例と同様であるが、保持部２において、挟持片３ａ、３ｂのボルト５を挟んで、２個の円弧部４１、４２を形成するようにしている。
また、一対の挟持片３ａ、３ｂは、それぞれ分離した状態で配設されるとともに、各々の挟持片３ａ、３ｂが、円弧部４１、４２の間に配設されたボルト５及びナット８により締め付けることができるようにされている。
そして、このケーブルハンガでは、一対の挟持片３ａ、３ｂのうち一方の挟持片、具体的には、ボルト５の頭部側の挟持片３ｂのボルト挿通孔６を円弧部４１、４２の円弧方向の長孔に形成するとともに、挟持片３ｂのボルト受け座７を、前記長孔方向に湾曲する凸状の曲面に形成している。
この場合、吊下げ部１に連結される挟持片３ａの下側の円弧部４２は、他方の挟持片３ｂの円弧部４２が内側に入るような長い円弧に形成されており、これにより、ケーブルＣが落ちやすい保持部２の下側においても、ケーブルＣを安定して保持できるようにされている。
【００１５】
本実施例のケーブルハンガでは、一対の挟持片３ａ、３ｂのうち一方の挟持片３ｂに、円弧部４１、４２の円弧方向の長孔からなるボルト挿通孔６を形成するとともに、この挟持片３ｂのボルト受け座７を、前記長孔方向に湾曲する凸状の曲面に形成したことから、図５〜図６に示すように、保持するケーブルＣの径に応じて挟持片３ａ、３ｂ同士がなす角度が変更されても、曲面に形成されたボルト受け座７がこの変更した角度に対応してボルト５の座面を安定して支持することができ、これにより、径の異なるケーブルＣの保持をブッシュを用いることなく安定して行うことができるものとなる。
そして、挟持片３ａ、３ｂに、ボルト５を挟んで、２個の円弧部４１、４２をそれぞれ形成したことにより、２本の同径又は異径のケーブルＣを同時に保持したり、あるいは１本の種々の径のケーブルＣを保持することができるものとなる。
【００１６】
以上、本発明のケーブルハンガについて、その実施例に基づいて説明したが、本発明は上記実施例に記載した構成に限定されるものではなく、実施例に記載した構成を適宜組み合わせる等、その趣旨を逸脱しない範囲において適宜その構成を変更することができるものである。
【００１７】
【発明の効果】
本発明のケーブルハンガによれば、一対の挟持片の一方に、円弧部の円弧方向の長孔からなるボルト挿通孔を形成し、該挟持片にボルト又はナットを嵌合することにより固定するとともに、この挟持片のボルト受け座を、前記長孔方向に湾曲する凸状の曲面に形成するようにしているので、保持するケーブルの径に応じて挟持片同士がなす角度が変更されても、曲面に形成されたボルト受け座がこの変更した角度に対応してボルト又はナットの座面を安定して支持することができ、これにより、径の異なるケーブルの保持をブッシュを用いることなく安定して行うことができる。
これにより、部品点数を少なくしてコストを低廉化できるとともに、ケーブルを挟持する作業を簡易に行うことができ、さらに、ケーブルハンガが移動するとき等の振動によって挟持片を締め付けているボルトが弛むことがなく、ケーブルを長期間に亘って安定して保持することができる。
そして、前記挟持片に、前記ボルトを挟んで、２個の円弧部を形成することにより、２本の同径又は異径のケーブルを同時に保持したり、あるいは１本の種々の径のケーブルを保持することができる。
【００１８】
また、前記吊下げ部が、メッセンジャーワイヤ上を転動するローラと、該ローラを支持するハウジングとを備え、該ハウジングのローラの下方に、メッセンジャーワイヤに取り付けるための開口部を形成するとともに、該開口部に、開口部を閉鎖する方向に付勢された蓋体を配設することにより、ケーブルハンガを、工具を用いることなく、簡単に、メッセンジャーワイヤに取り付けることができる。
【図面の簡単な説明】
【図１】ケーブルハンガの参考例を示す一部断面正面図である。
【図２】同ケーブルハンガをメッセンジャーワイヤに取り付ける状態を示す説明図である。
【図３】同ケーブルハンガの保持部を示す正面図である。
【図４】本発明のケーブルハンガの一実施例を示す断面正面図である。
【図５】同ケーブルハンガの保持部を示す正面図である。
【図６】同ケーブルハンガの保持部を示す正面図である。
【符号の説明】
１    吊下げ部
１ａ  軸具
２    保持部
３ａ  挟持片
３ｂ  挟持片
４    円弧部
４１  円弧部
４２  円弧部
５    ボルト
６    ボルト挿通孔
７    ボルト受け座
８    ナット
９    ローラ
１０  ハウジング
１１  開口部
１２  蓋体
１３  コイルスプリング
１４  板ばね
Ｃ    ケーブル
Ｗ    メッセンジャーワイヤ
【図１】
0003610023.tif 000002
【図２】
0003610023.tif 000003
【図３】
0003610023.tif 000004
【図４】
0003610023.tif 000005
【図５】
0003610023.tif 000006
【図６】
0003610023.tif 000007